(57)【要約】【課題】拡張天板に代表されるオプション部材を、天板付家具の天板下の下肢空間での作業負担を軽減しつつ、家具本体を裏返したりすることなしに、簡便に付け外しできるようにする。【解決手段】天板４の外周部位にオプション部材８を取り付けるにあたり、天板４の外周縁部を上下から挟持する形で当該天板４に装着される挟持部材８３と、天板４の外周縁部よりも内方にあって当該天板４の下面側に固定して設けられる掛止部４３と、オプション部材８に設けられ掛止部４３に掛け止められる被掛止部８１と、オプション部材８に設けられ被掛止部８１を掛止部４３に掛け止めて支持させた状態で挟持部材８３に止め着けられる被止着部８２とを具備してなる取付構造を採用した。【選択図】図２３
2011050519.tif 000002
【特許請求の範囲】
【請求項１】
家具の天板または棚板の外周部位にオプション部材を取り付ける構造であって、
前記天板または棚板の外周縁部を上下から挟持する形で当該天板または棚板に装着される挟持部材と、
前記天板または棚板の外周縁部よりも内方にあって当該天板または棚板の下面側に固定して設けられる掛止部と、
前記オプション部材に設けられ前記掛止部に掛け止められる被掛止部と、
前記オプション部材に設けられ前記被掛止部を前記掛止部に掛け止めて支持させた状態で前記挟持部材に止め着けられる被止着部と
を具備してなるオプション部材の取付構造。
【請求項２】
前記掛止部は、前記オプション部材を下方より支持する支持片と、オプション部材の内方への移動を規制する立壁とを備えている請求項１記載のオプション部材の取付構造。
【請求項３】
前記被掛止部は、前記立壁の側端に係合して前記オプション部材の側方への移動を規制する係合片を備えている請求項２記載のオプション部材の取付構造。
【請求項４】
前記立壁の側端は、前記係合片が係合する上部側端縁と、係合片から離反するように側方に偏倚した下部側端縁とが上下に並んだ形状をなしており、
前記オプション部材の内方端部を下げオプション部材を傾けた姿勢で前記係合片を前記下部側端縁に臨ませ、しかる後にオプション部材の外方端部を下げおろしてオプション部材を水平姿勢とすることにより、前記係合片を前記上部側端縁に係合させることができる請求項３記載のオプション部材の取付構造。
【請求項５】
前記立壁における前記上部側端縁の上方に、前記係合片に上方から当接する下向端縁が設けられている請求項４記載のオプション部材の取付構造。
【請求項６】
前記挟持部材が前記被止着部に上方から接合する請求項２、３、４または５記載のオプション部材の取付構造。
【請求項７】
前記挟持部材とは別体をなし、挟持部材に装着されてこれを被覆するカバー部材が存在している請求項１、２、３、４、５または６記載のオプション部材の取付構造。
【請求項８】
前記オプション部材が、前記天板または棚板の外周よりも外方に張り出した拡張天板である請求項１、２、３、４、５、６または７記載のオプション部材の取付構造。
【発明の詳細な説明】
【技術分野】
【０００１】
本発明は、家具の天板または棚板の外周部位にオプション部材を取り付ける構造に関する。
【背景技術】
【０００２】
デスク等の天板付家具に拡張天板を設け、これをマウス台や小物置きにする等、天板面積を実効的に拡張して使い勝手を向上させる工夫が従来より行われている（例えば、下記特許文献を参照）。この種の拡張天板の取り付けに際しては、拡張天板を支える支持レールまたは支持ブラケットを、天板の下面に固定することが通例となっている。
【０００３】
支持レールまたは支持ブラケットは、一般に、複数本のねじを使用して天板の下面に締結する。従って、拡張天板を天板に取り付け、または天板から取り外すためには、天板下の下肢空間に潜り込んだり、家具本体を一旦裏返し天板下面を露出させたりする必要があり、煩瑣な作業を強いられていた。
【先行技術文献】
【特許文献】
【０００４】
【特許文献１】特開２００３−２１９９１２号公報
【発明の概要】
【発明が解決しようとする課題】
【０００５】
以上に鑑みてなされた本発明は、拡張天板に代表されるオプション部材を、下肢空間での作業負担を軽減しつつ、家具本体を裏返したりすることなしに、簡便に付け外しできるようにすることを所期の目的としている。
【課題を解決するための手段】
【０００６】
本発明では、家具の天板または棚板の外周部位にオプション部材を取り付ける構造として、前記天板または棚板の外周縁部を上下から挟持する形で当該天板または棚板に装着される挟持部材と、前記天板または棚板の外周縁部よりも内方にあって当該天板または棚板の下面側に固定して設けられる掛止部と、前記オプション部材に設けられ前記掛止部に掛け止められる被掛止部と、前記オプション部材に設けられ前記被掛止部を前記掛止部に掛け止めて支持させた状態で前記挟持部材に止め着けられる被止着部とを具備してなる取付構造を採用した。
【０００７】
このような構造であると、掛止部に対する被掛止部の掛け止めにおいてはねじ等の締着作業が不要であり、作業をする者がわざわざ下肢空間に潜り込んだり家具本体を裏返したりする手間を強いられない。また、挟持部材に対する被止着部の止め着けにおいては、挟持部材が天板または棚板の外周縁部に所在していることから、やはり作業をする者が下肢空間に潜り込んだり家具本体を裏返したりする手間を強いられない。本発明によれば、簡便な作業で家具の天板にオプション部材を付け外しできるようになる。
【０００８】
前記掛止部は、例えば、前記オプション部材を下方より支持する支持片と、オプション部材の内方への移動を規制する立壁とを備えたものとする。
【０００９】
その上で、前記被掛止部が、前記立壁の側端に係合して前記オプション部材の側方への移動を規制する係合片を備えていれば、オプション部材を天板に対して適確に保定することができる。
【００１０】
前記立壁の側端が、前記係合片が係合する上部側端縁と、係合片から離反するように側方に偏倚した下部側端縁とが上下に並んだ形状をなしていれば、前記オプション部材の内方端部を下げオプション部材を傾けた姿勢で前記係合片を前記下部側端縁に臨ませ、しかる後にオプション部材の外方端部を下げおろしてオプション部材を水平姿勢とすることにより、前記係合片を前記上部側端縁に係合させることができる。
【００１１】
前記立壁における前記上部側端縁の上方に、前記係合片に上方から当接する下向端縁が設けられていれば、立壁の下向端縁と係合片との係わり合いを通じてオプション部材を適確に位置決めすることができる。
【００１２】
前記挟持部材が前記被止着部に上方から接合するものであるならば、掛止部の支持片がオプション部材の内方端部を下方から支持しつつ、挟持部材がオプション部材を上方から抑える構造となり、両者が相まってオプション部材の内方端部が落ち込むように傾斜するおそれが低減する。
【００１３】
前記挟持部材とは別体をなし、挟持部材に装着されてこれを被覆するカバー部材が存在していれば、挟持部材を隠蔽して家具としての美観、格調を高めることができる。同時に、挟持部材自体についても、外観デザインを重視せずその形状、構造をシンプルにすることが可能となる。
【００１４】
前記オプション部材としては、前記天板または棚板の外周よりも外方に張り出した拡張天板が想定される。無論、本発明の適用対象が、そのような拡張天板に限定されるわけではない。
【発明の効果】
【００１５】
本発明によれば、拡張天板に代表されるオプション部材を、下肢空間での作業負担を軽減しつつ、家具本体を裏返したりすることなしに、簡便に付け外しできるようになる。
【図面の簡単な説明】
【００１６】
【図１】本発明の一実施形態の天板付家具を示す斜視図。
【図２】同天板付家具の側面図。
【図３】同天板付家具の棚装着前の側面図。
【図４】同天板付家具の平面図。
【図５】支柱及びベースを示す斜視図。
【図６】支柱及びベースを示す分解斜視図。
【図７】支柱及びベースを示す側断面図。
【図８】支柱を示す平断面図。
【図９】ベースの上プレート及びカバー部材の内方端部を示す平断面図。
【図１０】カバー部材の脚羽根への取付構造を示す平断面図。
【図１１】支柱、天板受け及び蓋体受けを示す分解斜視図。
【図１２】棚の家具本体への取付構造を示す分解斜視図。
【図１３】配線立ち上げカバーのトレイへの取付構造を示す分解斜視図。
【図１４】トレイの基体を示す平面図。
【図１５】トレイの基体を示す側面図。
【図１６】天板受けの内方端部、蓋体受け、蓋体及び天板の開口部を示す要部側断面図。
【図１７】天板受けの下プレート及びアームの内方端部を示す平断面図。
【図１８】トレイ及び棚を示す、天板をオミットした状態の平面図。
【図１９】オプション部材及びデスクトップパネルを示す平面図。
【図２０】オプション部材を示す斜視図。
【図２１】オプション部材を示す分解斜視図。
【図２２】オプション部材の取付構造を示す要部側断面図。
【図２３】オプション部材の取付構造を示す要部側断面図。
【図２４】デスクトップパネルを示す斜視図。
【図２５】デスクトップパネルを示す分解斜視図。
【図２６】デスクトップパネルの取付構造を示す要部側断面図。
【発明を実施するための形態】
【００１７】
本発明の一実施形態を、図面を参照して説明する。本実施形態に係る天板付家具を、図１ないし図４に示す。この家具は、物品を載置可能な家具用部材たる天板４を脚構造体に支持させてなる、いわゆる単柱テーブルである。
【００１８】
脚構造体は、直立する脚支柱１と、脚支柱１の下端部に結合する脚ベース２と、脚支柱１の上端部に結合する天板受け３とを構成要素とする。
【００１９】
支柱１は、略等断面形状をなして鉛直に伸長した、例えばアルミ押出成形品である。支柱１は、その内部に、上下方向に延伸する配線通路１４を有する。より具体的に述べると、支柱１は、図６ないし図８、図１１、図１６、図１７に示すように、断面視管状の中心軸１１から複数（図示例では、三枚）のリブ１２が放射状に延出し、それらリブ１２の先端にリブ１２同士を繋ぐ外壁１３を接合している内部形状をなしており、中心軸１１及びリブ１２によって隔てられる複数の部分空間を包有している。これら部分空間の少なくとも一つが、コード類を配線するための配線通路１４として機能する。
【００２０】
支柱１の外壁１３は概ね円筒状であるが、配線通路１４に臨む一部を上下に亘り切り欠いて開口を形成しており、その開口１５を介して配線通路１４を外側方に開放せしめている。外壁１３における開口縁近傍部位の外面は、他の部位と比べて若干内方に窪んでいる。外壁１３の内面には、周方向に沿って間欠的に複数（図示例では、六個）のＣ字管１６を設けてある。Ｃ字管１６は、支柱１の上下端から雄ねじ部材２５、３６が螺入される雌ねじ孔として、当該雄ねじ部材２５、３６を以てベース２の脚羽根２１及び天板受け３のアーム３１を支柱１に固定するために利用される。
【００２１】
外壁１３の開口１５には、着脱自在のキャップ１７を装着してこれを遮蔽することができる。キャップ１７は、略等断面形状をなして鉛直に伸び、その全長が支柱１に略等しい。キャップ１７は、外壁１３と同程度の曲率で湾曲した薄板状の基板から、内方に向かって係合片１７１を突出させたものである。係合片１７１は左右に離間して対をなしており、両係合片１７１間の外法は外壁１３の開口幅に対応する。各係合片１７１の先端部は、互いに離反する方向に突き出た鉤爪状に成形している。キャップ１７を外壁１３の開口１５に装着するには、係合片１７１を開口１５に挿入して、鉤爪状の先端部を開口縁近傍部位の内面側に係合させる。キャップ１７を支柱１に装着したとき、キャップ１７の基板の両側部が支柱１の外壁１３の開口縁近傍部位の外面側にある窪み１３１に収まり、キャップ１７の外表面と支柱１の外周面とが連続する様相となる。
【００２２】
ベース２は、図５ないし図１０に示すように、放射方向に延伸する複数（図示例では、六本）の脚羽根２１と、各脚羽根２１の内方端部が集まる中央でこれら脚羽根２１を一体的に連結する上下のプレート２２、２３と、脚羽根２１間に形成される平面視略部分円状の間隙を隠蔽するカバー部材２４とを具備する。
【００２３】
脚羽根２１の基体は、底壁２１１と、底壁２１１の両側縁から立ち上がる側壁２１２とを備えてなり、これら底壁２１１及び側壁２１２が上方に開放したチャネル形状をなす。但し、側壁２１２の内方端部は、底壁２１１の内方端よりも内方に延出している。脚羽根２１の外方端部において、底壁２１１の下面にはアジャスタ２１３を装着しており、脚羽根２１はこのアジャスタ２１３を介して床面に接地する。
【００２４】
加えて、後述するカバー部材２４側の止着具２４３が差し込まれる受け具２１４を設けている。受け具２１４は、脚羽根２１の基体に上方から被さる樹脂成形品で、その下端部にある爪２１７を底壁２１１と側壁２１２とが交差する隅部に形成した切り欠き２１６に係合することによって基体に取り付ける。この受け具２１４は、脚羽根２１の延伸方向、換言すれば側壁２１２の法線方向に対し交差する方向に開口した差込口２１８を有している。差込口２１８は、脚羽根２１の両側に対をなして存在する。隣り合う二本の脚羽根２１の間隙内に位置する（別々の受け具２１４の）二つの差込口２１８の開口方向は、略平行となっている。六本の脚羽根２１間に約６０°の角度の間隙が形成されている図示例では、脚羽根２１の延伸方向と当該脚羽根２１に取り付けた受け具２１４の差込口２１８の開口方向とが約３０°の角度をなしている。
【００２５】
脚羽根２１の側壁２１２は、外方端部から内方端部に向かうにつれて徐々に高さを増し、内方端近傍で急激に伸び上がるように上縁が立ち上がっており、また下縁が下プレート２２の厚み分程度上方に凹んで退避している。側壁２１２の上縁には上壁２１５を溶接やねじ止め等により取り付け、脚羽根２１の基体を上方から閉塞する。
【００２６】
各脚羽根２１は、それぞれの内方端部を上下のプレート２２、２３で挟み、その状態で内方端部をプレート２２、２３に溶接等により固着して一体化する。このとき、径方向に対向する脚羽根２１の側壁２１２の内方端近傍の下縁の凹欠に下プレート２２が収まり、脚羽根２１の側壁２１２の内方端近傍に上プレート２３が載る。
【００２７】
下プレート２２は、支柱１の外周に略等しい外径の円板材であり、周方向に沿って間欠的に複数（図示例では、六つ）のねじ挿通孔２２１を穿ってある。ねじ挿通孔２２１は、雄ねじ部材２５の軸部を通すためのものである。各ねじ挿通孔２２１は、平面視脚羽根２１の底壁２１１と重ならないよう、底壁２１１の内方端よりも内方に所在する。
【００２８】
上プレート２３は、支柱１の外周よりもカバー部材２４（の上壁２４１）の板厚分だけ外径の小さい円板材であり、周方向に沿って間欠的に複数（図示例では、六つ）のねじ挿通用開口２３１を切り欠いてある。ねじ挿通用開口２３１は、下プレート２２のねじ挿通孔２２１と同様、雄ねじ部材２５の軸部を通すためのものであり、それぞれが平面視各ねじ挿通孔２２１と重なり合う。
【００２９】
脚羽根２１を支柱１に固定するには、上プレート２３を支柱１の下端面に当接させ、下方から雄ねじ部材２５をねじ挿通孔２２１及びねじ挿通用開口２３１に挿し通して、Ｃ字管１６の下端部位に形成した雌ねじに螺合させればよい。
【００３０】
なお、本実施形態では、脚羽根２１を支柱１に固定した際に、特定の二本の脚羽根２１間の間隙である床上空間が配線通路１４に直に連通するように構成している。そのために、当該二本の脚羽根２１の（間隙に面する側の）側壁２１２を内方端部で屈折させて間隙の幅を確保するとともに、上プレート２３には当該二本の脚羽根２１の側壁２１２に沿って配線用開口２３２を切り欠き形成している。配線用開口２３２の外縁は、平面視支柱１の外壁１３の開口１５と重なり、その開口幅は支柱１の外壁１３の開口幅に略等しい。これにより、前記二本の脚羽根２１間の床上空間が、配線用開口２３２を介して配線通路１４に連なる。そして、床上空間、配線用開口２３２及び配線通路１４が一貫して家具の側方に開放することとなる。
【００３１】
カバー部材２４は、全体として支柱１の外周を略全周に亘り包囲し、支柱１の周りの床を遮蔽するもので、脚羽根２１に対して着脱自在である。カバー部材２４は、脚羽根２１間の間隙の数と同数（図示例では、六枚）に分かたれている。各カバー部材２４は、平面視略部分円状をなす上壁２４１と、上壁２４１の円弧状の外方端にて下方に垂下する周壁２４２とを備えてなる。上壁２４１は、脚羽根２１の側壁２１２の上縁（または、上壁２１５の上面）に沿うように傾斜している。上壁２４１の内方端部は上方に湾曲し、その上端縁は支柱１の外周に略等しい径の部分円弧状をなす。
【００３２】
カバー部材２４の上壁２４１下、外方端近傍の部位には、当該カバー部材２４を脚羽根２１に止着するための止着具２４３を設けている。止着具２４３は、平面視略矢印形をなす先端部分が弾性変形を通じて縮小／拡開する樹脂成形品である。止着具２４３は、カバー部材２４の周方向両側に対をなして存在する。二個の止着具２４３の離間距離は、周方向に沿って隣り合う二本の脚羽根２１の間隙内に位置する二つの差込口２１８の離間距離に相当する。また、止着具２４３の向きは、差込口２１８の開口方向に略対向している。
【００３３】
カバー部材２４を脚羽根２１に装着するにあたっては、各カバー部材２４を支柱１の外壁１３の直下に外側方から略水平に差し入れ、各カバー部材２４に設けた止着具２４３を各脚羽根２１に設けた受け具２１４の差込口２１８に差し込む。止着具２４３の先端部分は、受け具２１４の差込口２１８の開口縁によって一旦圧縮され、その開口縁を越えた内奥に達したときに再び拡開して、差込口２１８の開口縁に内側から係合する抜け止めとなる。つまり、止着具２４３と受け具２１４とが、カバー部材２４を保定する保定手段としての役割を担う。
【００３４】
各カバー部材２４を装着した状態で、カバー部材２４の周方向両側部は脚羽根２１に乗り上げ、一のカバー部材２４の側端面が隣接する他のカバー部材２４の側端面に当接または極近接する。同時に、カバー部材２４の内方端部の上端面が支柱１の外壁１３の下端面に当接または極近接し、カバー部材２４の上壁２４１の上表面と支柱１の外周面とが連続する様相となる。結果として、カバー部材２４の上壁２４１が、脚羽根２１及び脚羽根２１間の間隙を上方から隠蔽し、かつ上プレート２３を外側方から隠蔽する。また、各カバー部材２４の周壁２４２が略連続した輪状をなして、脚羽根２１の外方端部を外側方から隠蔽する。
【００３５】
他方、天板受け３は、図１１ないし図１８に示すように、放射方向に延伸する複数（図示例では、四本）のアーム３１と、各アーム３１の内方端部が集まる中央でこれらアーム３１を一体的に連結する上下のプレート３２、３３と、アーム３１間に形成される平面視略部分円状の間隙を埋める配線支持具たるトレイ３４とを具備する。
【００３６】
アーム３１の基体は、底壁３１１と、底壁３１１の両側縁から立ち上がる側壁３１２とを備えてなり、これら底壁３１１及び側壁３１２が上方に開放したチャネル形状をなす。但し、側壁３１２の内方端部は、底壁３１１の内方端よりも内方に延出している。
【００３７】
アーム３１の外方端部には、天板４を下方から支持する天板支持部３１３を設けている。天板支持部３１３は、アーム３１の基体から上方に伸長し、概ね角筒状をなしており、その上端部にて水平に屈曲した水平片３１５を有している。水平片３１５は、天板４の下面に当接する。さらに、天板支持部３１３には、後述する機能部材を取り付けるための取付孔３１６を穿ってある。取付孔３１６は、機能部材側の取付爪７２５の先端部分を通過させることのできる開口幅を有した上部と、同取付爪７２５の先端部分を通過させることはできないが基端部分を通過させることのできる開口幅を有した下部とを上下に連接した形状をなす。
【００３８】
アーム３１の側壁３１２は、内方端近傍で上縁が上プレート３３の厚み分程度下方に凹んで退避し、また下縁が下プレート３２の厚み分程度上方に凹んで退避している。側壁３１２の上縁付近には、トレイ３４側の係止爪３４７が係合する係止孔３１４を複数（図示例では、二つ）、径方向に離間させて穿ち設けている。
【００３９】
各アーム３１は、それぞれの内方端部を上下のプレート３２、３３で挟み、その状態で内方端部をプレート３２、３３に溶接等により固着して一体化する。このとき、径方向に対向するアーム３１の側壁３１２の内方端近傍の下縁の凹欠に下プレート３２が、上縁の凹欠に上プレート３３がそれぞれ収まる。
【００４０】
天板受け３の下プレート３２は、ベース２の上プレート２３と同一形状である。即ち、周方向に沿って間欠的に複数（図示例では、六つ）のねじ挿通用開口３２１と、配線用開口３２２とをそれぞれ切り欠いている。
【００４１】
天板受け３の上プレート３３は、ベース２の下プレート２２と略同一形状であって、周方向に沿って間欠的に複数（図示例では、六つ）のねじ挿通孔３３１を穿ってある。各ねじ挿通孔３３１は、平面視アーム３１の底壁３１１と重ならないよう、底壁３１１の内方端よりも内方に所在しており、それぞれが各ねじ挿通用開口３２１と重なり合う。加えて、上プレート３３の中心に、雌ねじ孔３３２を穿っている。雌ねじ孔３３２は、後述する蓋体受け６を固定するために利用される。
【００４２】
アーム３１を支柱１に固定するには、下プレート３２を支柱１の上端面に当接させ、上方から雄ねじ部材３６をねじ挿通孔３３１及びねじ挿通用開口３２１に挿し通して、Ｃ字管１６の上端部位に形成した雌ねじに螺合させればよい。
【００４３】
本実施形態では、アーム３１を支柱１に固定した際に、特定の二本のアーム３１間の間隙が配線通路１４に直に連通するように構成している。そのために、当該二本のアーム３１の（間隙に面する側の）側壁３１２を内方端部で屈折させて間隙の幅を確保するとともに、下プレート３２に当該二本のアーム３１の側壁３１２に沿って配線用開口３２２を切り欠き形成している。配線用開口３２２の外縁は、平面視支柱１の外壁１３の開口と重なり、その開口幅は支柱１の外壁１３の開口幅に略等しい。これにより、前記二本のアーム３１間の間隙が、配線用開口３２２を介して配線通路１４に連なる。
【００４４】
トレイ３４は、天板４の下方にあって、天板４との間に配線具配置空間を形成する。即ち、給電コンセント、通信ネットワーク用ハブといった配線具や、その他各種の装置を配置する機能を提供する。トレイ３４は、全体として丸盆状をなすもので、アーム３１に対して着脱自在である。このトレイ３４は、アーム３１間の間隙の数と同数（図示例では、四枚）に分かたれている。各トレイ３４の基体は、平面視略部分円状をなす底壁３４１と、底壁３４１の円弧状の外方端にて上下に拡張した周壁３４２と、底壁３４１の下面に形成したリブ３４３と、底壁３４１の周方向両側部において下方に垂下した垂下壁３４４とを備えてなる。底壁３４１は、略水平な薄板であり、その内方端が支柱１の外径よりも径の大きい円弧状の端縁を有し、かつその端縁の中間部を外方に向けて切り欠いてある。この切り欠きの内周には、トレイ３４の一部をなす配線立ち上げカバー３５を装着するための支持片３４５を成形している。支持片３４５は、上面が底壁３４１の上面よりも低位置にあり、その複数箇所（図示例では、三箇所）にカバー装着孔３４６を穿っている。周壁３４２の下縁とリブ３４３の下縁とは、略同じ高さにある。各垂下壁３４４には、アーム３１の側壁３１２に設けた係止孔３１４に弾性係合可能な複数（図示例では、二個）の係止爪３４７を設けている。
【００４５】
トレイ３４をアーム３１に装着するにあたっては、当該トレイ３４をアーム３１に載せ置くようにして垂下壁３４４をアーム３１の基体内に挿入し、この垂下壁３４４をアーム３１の側壁３１２に内接させて係止爪３４７を係止孔３１４に押し入れ係合させる。これら係止爪３４７及び係止孔３１４は、トレイ３４をアーム３１に取り付けて支持させるためのトレイ取付部としての役割を担う。トレイ取付部は、径方向に離間した複数箇所（図示例では、二箇所）に存在していることとなる。
【００４６】
各トレイ３４を装着した状態では、周壁３４２及びリブ３４３の下縁がアーム３１の側壁の上縁に当接しながら、トレイ３４の周方向両側部がそれぞれアーム３１に保定される。それとともに、一のトレイ３４の底壁３４１の側端面が、隣接する他のトレイ３４の底壁３４１の側端面に当接または極近接する。また、各トレイ３４の周壁３４２が連続した輪状をなして、底壁３４１の直上の空間領域つまりは配線具配置空間を包囲する。トレイ３４の底壁３４１の内方端と支柱１の外周との間は、平面視所定距離離間する。
【００４７】
トレイ３４の内方端に取り付けるべき配線立ち上げカバー３５は、上方に向かって径が拡大する略部分円錐状の支柱被覆体３５１と、支柱被覆体３５１の上端部から外側方に屈曲した被支持片３５２とを備えている。支柱被覆体３５１は、一のアーム３１と他のアーム３１との間隙内、両アーム３１が交差する内方端近傍にあって、アーム３１の内方端部、プレート３２、３３及び配線用開口３３２を外側方から被覆する。被支持片３５２は、トレイ３４の内方端に成形した支持片３４５に支持される部位であり、その複数箇所（図示例では、三箇所）に下方に突き出す装着ピン３５３を設けてある。被支持片３５２の各装着ピン３５３をそれぞれ支持片３４５のカバー装着孔３４６に挿入し、被支持片３５２を支持片３４５に載せた状態に保定することにより、配線立ち上げカバー３５のトレイ３４への装着がなされる。このとき、支柱被覆体３５１の下端部がアーム３１よりも下方に位置づけられ、支柱１の上端部の外周に近接する。また、被支持片３５２の上面がトレイ３４の底壁３４１の上面と略面一となる。
【００４８】
天板４は、平面視円形状をなすもので、天板支持部３１３（の水平片３１５）上に載置して固定し、支柱１の上端から上方に間隙を隔てて支持する。本実施形態にあって、天板４は、平面視略円形状の開口部４１を有している。開口部４１の内周には、内方に膨出した曲面状の内面を有した周縁部材４１１を取り付ける。周縁部材４１１は、弾性変形可能であってもよく、弾性変形不能であってもよい。
【００４９】
天板４の開口部４１内には、着脱自在の蓋体５を装着することができる。蓋体５は、開口部４１の開口端縁即ち内周縁との間に平面視一周連続した環状の配線挿通空間４２を形成しながら、開口部４１の配線挿通空間４２以外の部分を閉塞するもので、少なくともその外周縁部が弾性変形可能となっている。本実施形態では、蓋体５の全体を変形容易な軟質合成樹脂成形品としている。この蓋体５は、平面視略円形状をなす外周を厚肉に、それよりも内側を薄肉に成形しており、その下面に係合爪５１を平面視環状に突出させて設けている。係合爪５１は、脚構造体の上端部に設けた蓋体受け６に係合する。加えて、蓋体５の下面、係合爪５１よりも内側には、やはり平面視環状をなす凸部が存在している。この凸部は、下記接続部６１の内周に係合する。
【００５０】
蓋体受け６は、脚構造体の上端部、換言すれば天板受け３の上プレート３３の上面に固定する。蓋体受け６は、上下に延伸する筒状の接続部６１と、接続部６１の内周に溶接等により固着した内底板６２と、接続部６１の外周に溶接等により固着した鍔板６３と、接続部６１の上端部から外側方に拡張している係合板６４とを備える。内底板６２の中心には、ねじ挿通孔６２１を穿っている。
【００５１】
蓋体受け６を上プレート３３に、ひいては脚構造体に固定するには、接続部６１の下端面を上プレート３３の上面に当接させた上、接続部６１内の内底板６２のねじ挿通孔６２１に上方から雄ねじ部材６５の軸部を挿し通して、これを上プレート３３の雌ねじ孔３３２に螺合させる。脚構造体に固定した蓋体受け６の鍔板６３の上面は、トレイ３４の底壁３４１の上面と略面一となるが、鍔板６３の外方端と底壁３４１の内方端との間にはコード類を通過させることのできる程度の空隙が形成される。また、係合板６４が、天板４の開口部４１内に位置づけられる。
【００５２】
そして、蓋体５下面の係合爪５１を係合板６４の外周に係合させることを通じて、蓋体５を取り付け、天板４の開口部４１の大部分を閉塞状態とすることができる。係合爪５１は弾性変形可能であるので、係合爪５１と係合板６４との係わり合いを解除してこの蓋体５を取り外し、天板４の開口部４１を開放状態とすることも任意に可能である。天板４の開口部４１（その一部である配線挿通空間４２を含む）、またはトレイ３４上の配線具配置空間は、蓋体受け６の鍔板６３とトレイ３４の内方端との空隙、並びに天板受け３の上プレート３３の配線用開口３３２を介して、支柱１内の配線通路１４に連通する。
【００５３】
本実施形態の天板付家具には、機能部材たる棚７を取り付けることが可能である。棚７は、トレイ３４と同様、天板４の下方にあって、天板４との間に配線具配置空間を形成する。この棚７は、図１２に示しているように、棚板７１と、各棚板７１を支持する支持ブラケット７２とを要素とする。
【００５４】
棚板７１は、全体としてドーナツ板状をなすもので、アーム３１に対して着脱自在である。棚板７１もまた、アーム３１間の間隙の数と同数（図示例では、四枚）に分かたれている。各棚板７１は、平面視略扇形をなす薄板で、その内周端縁及び外周端縁には平面視略部分円弧状の補強フレーム７１１を一体成形している。
【００５５】
支持ブラケット７２は、アーム３１の天板支持部３１３に掛け止めることのできる部材である。支持ブラケット７２は、略水平な支持面を有し棚板７１の周方向両側部を下方から支持する支持体７２１と、支持体７２１の内方端部から起立する起立壁７２２と、支持体７２１の側縁及び起立壁７２２の側縁に接合した側壁７２３と、起立壁７２２からさらに内方に延出した掛止部７２４とを備えてなる。掛止部７２４は、平面視側壁７２３に対して支持体７２１側に偏倚している。そして、この掛止部７２４に、取付爪７２５を形成している。取付爪７２５は、側壁７２３側に向けて略水平に突き出している。取付爪７２５の先端部分は、基端部分よりも幅寸が大きくなるように径方向に拡張している。
【００５６】
支持ブラケット７２をアーム３１に取り付けるには、取付爪７２５を天板支持部３１３に穿ってある取付孔３１６の上部に挿入し、側壁７２３の内方端部を天板支持部３１３の側面に当接させた上、その支持ブラケット７２を下方に落として取付爪７２５を取付孔３１６の下部に係合させればよい。
【００５７】
隣り合う二本のアーム３１の天板支持部３１３に支持ブラケット７２をそれぞれ取り付け、それら支持ブラケット７２の支持体７２１に棚板７１の周方向両側部を載せ置くことにより、棚板７１をトレイ３４の外周側に装着することができる。各棚板７１を装着した状態では、一の棚板７１の側端面が、隣接する他の棚板７１の側端面に当接または極近接する。
【００５８】
棚７を設置するに際して、支持ブラケット７２とともに補助ブラケット７３を併用してもよい。補助ブラケット７３は、略水平な支持面を有し棚板７１の周方向中間部を下方から支持する支持体７３１と、支持体７３１の側縁に接合した側壁７３２とを備えており、側壁７３２の上端部が略水平に屈折している。補助ブラケット７３は、側壁７３２を棚板７１に穿ってあるスロット孔７１２に通した状態で、その上端部を天板４の下面にねじ止めまたは溶接等して取り付ける。
【００５９】
本実施形態では、棚板７１とこれを支持するブラケット７２、７３とを別体としているが、支持ブラケット７２の側壁７２３及び／または補助ブラケット７３の側壁７３２を棚板７１に一体的に設けることを妨げない。
【００６０】
本実施形態の天板付家具にコード類を配線する手順を述べると、まず、脚支柱１の開口１５からキャップ１７を取り外し、脚支柱１内の配線通路１４を外部に開放する。次に、配線通路１４の下方に位置するベース２のカバー部材２４、並びに配線通路１４の上方に位置するトレイ３４を取り外して、カバー部材２４が遮蔽している床上空間、トレイ３４が遮蔽している配線具配置空間を露出させる。そして、床上空間から立ち上げるコード類の中間部を、配線通路１４内に側方から挿入して配置する。しかる後、キャップ１７、カバー部材２４及びトレイ３４をそれぞれ再装着して、配線通路１４、床上空間及び配線具配置空間を隠蔽する。コード類は、必要に応じて、天板４の開口部４１を介して天板４上に引き出し、またはトレイ３４に載置した配線具等に接続する。
【００６１】
図１９ないし図２３に示すように、本実施形態の天板付家具の天板４の外周部位には、オプション部材たる拡張天板８を取り付けることができる。拡張天板８は、天板４よりも下方に設けられる。拡張天板８は、その内方端部に設けた被掛止部８１と、被掛止部８１よりも外方に設けた被止着部８２とを具備する。
【００６２】
被掛止部８１は、拡張天板８の内方端部の上面に固定した、拡張天板８の内方端からさらに内方に延出するブラケットである。被掛止部８１は、平面視両側に対をなして離間した係合片８１１を備えている。両係合片８１１の先端は、互いに相寄る方向に突き出すように屈曲している。
【００６３】
被止着部８２には、拡張天板８を上下に貫通する貫通孔８２１を穿っている。
【００６４】
天板４には、拡張天板８を支持するための手段の一つとして、掛止部４３を設けている。掛止部４３は、天板４の外周縁部よりも内方にあって、当該天板４の下面側に固定している。掛止部４３は、拡張天板８の被掛止部８１を掛け止めることのできるブラケットである。掛止部４３は、拡張天板８を下方より支持する略水平な支持片４３１と、支持片４３１の内方端から立ち上がる立壁４３２と、立壁４３２の上端から略水平に屈曲して天板４の下面に接合する接合片４３３とを備えている。
【００６５】
立壁４３２の側端は、被掛止部８１の係合片８１１が係合する上部側端縁４３５と、上部側端縁４３５に対して側方に偏倚した下部側端縁４３４とが上下に並んだ形状をなしており、上部側端縁４３５の存在する高さ位置で立壁４３２の幅寸が下部側端縁４３４の存在する高さ位置の幅寸よりも大きくなっている。また、上部側端縁４３５の上方に、立壁４３２の幅寸を一層拡大させる下向端縁４３６を形成している。
【００６６】
被掛止部８１を掛止部４３に掛け止める際には、図２２に示しているように、一旦拡張天板８の内方端部を下げるようにして当該拡張天板８を傾け、その姿勢で被掛止部８１の係合片８１１を掛止部４３の立壁４３２の下部側端縁４３４に臨ませる。対をなす係合片８１１の離間寸法は、立壁４３２における上部側端縁４３５の存在する高さ位置の幅寸に略等しく、下部側端縁４３４の存在する高さ位置の幅寸よりも大きいので、これにより立壁４３２が対をなす係合片８１１間に収まる。次いで、図２３に示しているように、拡張天板８の外方端部を下げおろして拡張天板８を水平姿勢にすることで、係合片８１１が立壁４３２に対して相対的に持ち上がり、係合片８１１の内側端縁に立壁４３２の上部側端縁４３５が緊密に係合する。同時に、係合片８１１の上面が立壁４３２の下向端縁４３６に当接し、係合片８１１の外向端縁が立壁４３２の内向面に当接ないし近接し、なおかつ拡張天板８の内方端部の下面が支持片４３１に載置される。
【００６７】
上記のようにして被掛止部８１を掛止部４３に掛け止めて支持させた後、図２３に示しているように、天板４の外周縁部に挟持部材８３を装着するとともに、その挟持部材８３に拡張天板８の被止着部８２を止め着ける。
【００６８】
挟持部材８３は、基板８３１と、基板８３１から上方に離間した挟持板８３２と、基板８３１から下方に離間した止着板８３３とを、板金材を折曲加工する等して一体成形したものである。基板８３１には、天板４挟圧用のねじ部材８４を螺着するための雌ねじ孔８３４を穿っており、止着板８３３には、拡張天板８止着用のねじ部材８５を螺着するための雌ねじ孔８３５を穿ってある。
【００６９】
挟持部材８３を天板４の外周縁部に装着するには、基板８３１の雌ねじ孔８３４にねじ部材８４を螺合せしめ、そのねじ部材８４と挟持板８３２との間に天板４の外周縁部を差し入れた後、ねじ部材８４を旋回させてこれを天板４の下面に押し付けるようにする。さすれば、挟持板８３２とねじ部材８４とで天板４を上下から挟持することができる。
【００７０】
並びに、拡張天板８の被止着部８２を挟持部材８３に止着するには、拡張天板８の被止着部８２に穿ってある貫通孔８２１にねじ部材８５を下方から挿通し、その軸部を止着板８３３に穿ってある雌ねじ孔８３５に螺合緊締すればよい。結果的に、この拡張天板８は、天板４と棚７との間の空間内に配設される。
【００７１】
因みに、挟持部材８３には、当該挟持部材８３及びねじ部材８４を被覆するためのカバー部材８６を装着することができる。カバー部材８６は、挟持部材８３を上方から隠蔽する上壁８６１と、挟持部材８３を外方から隠蔽する外壁８６２と、挟持部材８３を側方から隠蔽する側壁８６３とを有し、内向きに開放した部材である。カバー部材８６の側壁８６３は、天板４の外周縁部をくわえ込むようにその一部を切り欠いてある。
【００７２】
図示例では、一枚の拡張天板８に対して挟持部材８３及びカバー部材８６を二個ずつ使用しているが、下記デスクトップパネル９に近接する側にのみ一個ずつ挟持部材８３及びカバー部材８６を装着するようにしても構わない。
【００７３】
また、図１９、図２４ないし図２６に示すように、本実施形態の天板付家具の天板４には、デスクトップパネル９を取り付けることができる。このデスクトップパネル９は、天板４上に載置されるパネル上部、天板４下に位置づけられるパネル下部、及び上下に拡張してこれらパネル上部とパネル下部とを連接するパネル外側部を備えたパネル本体９１に、内向きに開口し天板４が差し入る切り欠き９２を形成してなるものである。パネル本体９１のパネル上部は、天板４の開口部４１に到達するまで拡張しており、そのパネル上部の下縁が天板４の開口部４１の直上において上方に凹んで退避している。図示していないが、デスクトップパネル９は、一基の天板付家具の天板４に対して複数枚、放射状に設置することができ、好ましくは、四枚のデスクトップパネル９を平面視十字に配設する。
【００７４】
切り欠き９２は、パネル上部に面する略水平な上縁９２１と、上縁９２１の外方端に連なり天板４の外周縁に近接または当接する終端縁９２２と、終端縁９２２の下端から天板４の外周部の下面に沿って内方に延伸した外側下縁９２３と、外側下縁９２３の内方端から下方に垂下した垂下縁９２４と、垂下縁９２４の下端に連なりパネル下部に面するとともに天板４の下面から所定距離離間する略水平な内側下縁９２５とを有している。デスクトップパネル９を天板４に取り付けたとき、機能部材である棚７は天板４の下面とパネル本体９１の切り欠き９２の内側下縁９２５との間隙に収まるので、棚７とデスクトップパネル９とが干渉し合うことはない。
【００７５】
デスクトップパネル９は、外側保定用具９３、及び内側保定用具９４を用いて天板４に保定する。外側保定用具９３は、天板４の下面とパネル本体９１の切り欠き９２の内側下縁９２５との間隙に配置される。外側保定用具９３は、側面視略「字形をなすブラケットである第一部品９３１と、第一部品９３１に対して止め着ける第二部品９３２とを要素とする。第一部品９３１は、パネル本体９１の垂下縁９２４に固定している。第一部品９３１の上端の水平片９３３は、天板４の下面から距離を隔てている。水平片９３３には、第二部品９３２止着用のねじ部材９５を螺着するための雌ねじ孔９３４を穿ってある。
【００７６】
第二部品９３２は、側面視略コ字形をなしており、上下の板面間に第一部品９３１の水平片９３３が差し入る。第二部品９３２の上板９３５は、天板４の下面に当接する。第二部品９３２の下板９３６には、貫通孔９３７を穿っている。
【００７７】
外側保定用具９３を介してパネル本体９１を天板４に保定するには、第二部品９３２の下板９３６に穿ってある貫通孔９３７にねじ部材９５を下方から挿通し、その軸部を第一部品９３１の水平片９３３に穿ってある雌ねじ孔９３４に螺合せしめ、ねじ部材９５を旋回させて軸部の上端及び第二部材９３２の上板９３５を天板４の下面に押し付けるようにする。さすれば、パネル本体９１の切り欠き９２の上縁９２１、換言すればパネル上部の下縁と第二部材９３２の上板９３５とで天板４を上下から挟持することができる。
【００７８】
内側保定用具９４は、天板４の外周縁に相対する縁部、即ち天板４の開口部４１の周縁部に係合する。内側保定用具９４は、側面視略「字形をなすブラケットである第一部品９４１と、第一部品９４１に対して締結する第二部品９４２とを要素とする。第一部品９４１は、パネル上部の内方端部における下縁に固定している。第一部品９４１の内方端から垂下する締結面９４３は、天板４の開口部４１内に進入し、その下端部が天板４の下面よりも下方に位置づけられる。締結面９４３の下端部には、第二部品９４２締結用の締結具たるねじ部材９６を螺着するための雌ねじ孔９４４を穿ってある。
【００７９】
第二部品９４２は、被締結面９４５と押圧面９４６とが側面視略アングル状をなす部品であり、両者の交わる角度が９０°よりも若干大きくなっている。被締結面９４５には、これを内外に貫通する貫通孔９４７を穿っている。
【００８０】
内側保定用具９４を介してパネル本体９１を天板４に保定するには、第二部品９４２の押圧面９４６を、天板４の開口部４１内から、天板４の開口部４１の周縁部の下面に当接させる。このとき、第二部材の被締結面９４５が、第一部材の締結面９４３に近接する。その状態から、第二部品９４２の締結面９４３に穿ってある貫通孔９４７にねじ部材９６を内方から外方に向けて挿通し、その軸部を第一部材の締結面９４３に穿ってある雌ねじ孔９４４に螺合緊締する。結果、第二部材の被締結面９４５が第一部材の締結面９４３に締結されて接合し、同時に第二部材の押圧面９４６が天板４の下面に強く押し付けられる。そして、パネル上部の内方端部の下縁と第二部材の押圧面９４６とで天板４を上下から挟持することができる。
【００８１】
本実施形態によれば、家具の天板４の外周部位にオプション部材８を取り付ける構造として、前記天板４の外周縁部を上下から挟持する形で当該天板４に装着される挟持部材８３と、前記天板４の外周縁部よりも内方にあって当該天板４の下面側に固定して設けられる掛止部４３と、前記オプション部材８に設けられ前記掛止部４３に掛け止められる被掛止部８１と、前記オプション部材８に設けられ前記被掛止部８１を前記掛止部４３に掛け止めて支持させた状態で前記挟持部材８３に止め着けられる被止着部８２とを具備してなる取付構造を採用したため、掛止部４３に対する被掛止部８１の掛け止めにおいてはねじ等の締着作業が不要であり、作業をする者がわざわざ家具の天板４下の下肢空間に潜り込んだり家具本体を裏返したりする手間を強いられない。また、挟持部材８３に対する被止着部８２の止め着けにおいては、挟持部材８３が天板４の外周縁部に所在していることから、やはり作業をする者が下肢空間に潜り込んだり家具本体を裏返したりする手間を強いられない。よって、簡便な作業で家具の天板４にオプション部材８を付け外しできるようになる。
【００８２】
前記掛止部４３は、前記オプション部材８を下方より支持する支持片４３１と、オプション部材８の内方への移動を規制する立壁４３２とを備えたものであり、前記被掛止部８１が、前記立壁４３２の側端に係合して前記オプション部材８の側方への移動を規制する係合片８１１を備えているため、オプション部材８を天板４に対して適確に保定することができる。
【００８３】
前記立壁４３２の側端が、前記係合片８１１が係合する上部側端縁４３５と、係合片８１１から離反するように側方に偏倚した下部側端縁４３４とが上下に並んだ形状をなしているため、前記オプション部材８の内方端部を下げオプション部材８を傾けた姿勢で前記係合片８１１を前記下部側端縁４３４に臨ませ、しかる後にオプション部材８の外方端部を下げおろしてオプション部材８を水平姿勢とすることにより、前記係合片８１１を前記上部側端縁４３５に係合させることができる。
【００８４】
前記立壁４３２における前記上部側端縁４３５の上方に、前記係合片８１１に上方から当接する下向端縁４３６が設けられているため、立壁４３２の下向端縁４３６と係合片８１１との係わり合いを通じてオプション部材８を適確に位置決めすることができる。
【００８５】
前記挟持部材８３が前記被止着部８２に上方から接合するものであるため、掛止部４３の支持片４３１がオプション部材８の内方端部を下方から支持しつつ、挟持部材８３がオプション部材８を上方から抑える構造となり、両者が相まってオプション部材８の内方端部が落ち込むように傾斜するおそれが低減する。
【００８６】
前記挟持部材８３とは別体をなし、挟持部材８３に装着されてこれを被覆するカバー部材８６が存在しているため、挟持部材８３を隠蔽して家具としての美観、格調を高めることができる。同時に、挟持部材８３自体についても、外観デザインを重視せずその形状、構造をシンプルにすることが可能となる。
【００８７】
なお、以上に詳述した実施形態に限られるものではない。特に、本発明の適用対象は天板付家具には限定されず、ラック等に適用することも可能である。この場合には、ラックの棚板等が上記実施形態における天板付家具の天板に相当し、その棚板の外周縁部に拡張天板その他のオプション部材を取り付ける構造となる。
【００８８】
また、天板（または、棚板）が、平面視正方形状をなしていてもよい。
【００８９】
その他各部の具体的構成は、本発明の趣旨を逸脱しない範囲で種々変形が可能である。
【産業上の利用可能性】
【００９０】
本発明は、例えば単柱テーブルに適用することができる。
【符号の説明】
【００９１】
４…天板
８…オプション部材（拡張天板）
９…デスクトップパネル
【図１】
2011050519.tif 000003
【図２】
2011050519.tif 000004
【図３】
2011050519.tif 000005
【図４】
2011050519.tif 000006
【図５】
2011050519.tif 000007
【図６】
2011050519.tif 000008
【図７】
2011050519.tif 000009
【図８】
2011050519.tif 000010
【図９】
2011050519.tif 000011
【図１０】
2011050519.tif 000012
【図１１】
2011050519.tif 000013
【図１２】
2011050519.tif 000014
【図１３】
2011050519.tif 000015
【図１４】
2011050519.tif 000016
【図１５】
2011050519.tif 000017
【図１６】
2011050519.tif 000018
【図１７】
2011050519.tif 000019
【図１８】
2011050519.tif 000020
【図１９】
2011050519.tif 000021
【図２０】
2011050519.tif 000022
【図２１】
2011050519.tif 000023
【図２２】
2011050519.tif 000024
【図２３】
2011050519.tif 000025
【図２４】
2011050519.tif 000026
【図２５】
2011050519.tif 000027
【図２６】
2011050519.tif 000028